【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
ブレード付きロータを測定する装置において、
ブレード付きロータに向けて連続的なマイクロ波信号を放射し、前記ブレード付きロータからの反射したマイクロ波信号を受信するように構成されるマイクロ波センサと、
前記マイクロ波センサによって放射された前記マイクロ波信号を生成し、前記反射したマイクロ波信号をダウンコンバートされた信号にダウンコンバートする無線周波数モジュールと、
前記ダウンコンバートされた信号に基づいて、前記ブレード付きロータの速度を表す出力パルス列信号を生成するように構成された主処理モジュールとを備える、ブレード付きロータを測定する装置。
【請求項２】
前記主処理モジュールが、サブバンドフィルタのバンクと、信号エネルギー検出部と、サブバンドエネルギー検出部のバンクと、サブバンド選択部と、同相／直交出力選択部とを備える、請求項１に記載のブレード付きロータを測定する装置。
【請求項３】
前記信号エネルギー検出部が、前記ダウンコンバートされた信号の同相部の平均エネルギーを検出する同相エネルギー検出部と、前記ダウンコンバートされた信号の直交部の平均エネルギーを検出する直交エネルギー検出部と、前記ダウンコンバートされた信号の全平均エネルギーとして、前記ダウンコンバートされた信号の前記同相部の平均エネルギーと前記ダウンコンバートされた信号の前記直交部の平均エネルギーとを加算する加算器とを備える、請求項２に記載のブレード付きロータを測定する装置。
【請求項４】
前記サブバンドフィルタのバンクが、複数のサブバンドフィルタ対を備え、
各サブバンドフィルタ対が、同相サブバンドフィルタと直交サブバンドフィルタとを備え、
各同相サブバンドフィルタが、前記ダウンコンバートされた信号の前記同相部に基づいて同相バンドパスされた信号を提供するバンドパスフィルタと、前記同相バンドパスされた信号の平均エネルギーを検出する平均エネルギー検出部と、前記同相バンドパスされた信号のゼロクロスを検出し、前記同相バンドパスされた信号の前記ゼロクロスに基づいて同相パルス列信号を生成するゼロクロス検出部とを備え、
各直交サブバンドフィルタが、前記ダウンコンバートされた信号の前記直交部に基づいて直交バンドパスされた信号を提供するバンドパスフィルタと、前記直交バンドパスされた信号の平均エネルギーを検出する平均エネルギー検出部と、前記直交バンドパスされた信号のゼロクロスを検出し、前記直交バンドパスされた信号の前記ゼロクロスに基づいて直交パルス列信号を生成するゼロクロス検出部とを備える、請求項３に記載のブレード付きロータを測定する装置。
【請求項５】
前記サブバンドエネルギー検出部のバンクが、複数のサブバンドエネルギー検出部を備え、
各サブバンドエネルギー検出部が、全平均サブバンドエネルギーとして、各同相及び直交サブバンドフィルタ対からの前記同相バンドパスされた信号の平均エネルギーと前記直交バンドパスされた信号の平均エネルギーとを加算する加算器と、前記ダウンコンバートされた信号の前記全平均エネルギーと前記全平均サブバンドエネルギーを比較し、サブバンド選択信号を提供する比較器とを備える、請求項４に記載のブレード付きロータを測定する装置。
【請求項６】
前記サブバンド選択部が、選択ロジックと、同相サブバンド選択部と、直交サブバンド選択部とを備え、
前記選択ロジックが、前記サブバンドエネルギー検出部からの前記サブバンド選択信号に基づいて前記同相サブバンド選択部及び前記直交サブバンド選択部用の制御信号を生成し、
前記同相サブバンド選択部が、前記制御信号に基づいて、選択された同相パルス列信号として、出力用の前記同相サブバンドフィルタから生成された前記同相パルス列信号のうちの１つの同相パルス列信号を選択し、
前記直交サブバンド選択部が、前記制御信号に基づいて、選択された直交パルス列信号として出力用の前記直交サブバンドフィルタから生成された前記直交パルス列信号のうちの１つの直交パルス列信号を選択する、請求項５に記載のブレード付きロータを測定する装置。
【請求項７】
前記同相／直交出力選択部が、前記ブレード付きロータの速度を表す前記出力パルス列信号として、前記選択された同相パルス列信号及び前記選択された直交パルス列信号のうちの一方を出力する、請求項６に記載のブレード付きロータを測定する装置。
【請求項８】
前記同相／直交出力選択部が、
前記ブレード付きロータの速度を表す前記出力パルス列信号として、出力用の前記選択された同相パルス列信号及び前記選択された直交パルス列信号のうちの一方を選択し、
所定数の立ち下がり又は立ち上がりエッジが前記パルス列信号の選択された一方については生じないが立ち下がり又は立ち上がりエッジが前記パルス列信号のうちの他方について生じるまで、出力用の前記パルス列信号のうちの一方の選択を維持するように構成されている、請求項６に記載のブレード付きロータを測定する装置。
【請求項９】
ブレード付きロータを測定する装置において、
ブレード付きロータに向けて連続的なマイクロ波信号を放射し、前記ブレード付きロータからの反射したマイクロ波信号を受信するように構成されるマイクロ波センサと、
前記マイクロ波センサによって放射された前記マイクロ波信号を生成し、前記反射したマイクロ波信号をダウンコンバートされた信号にダウンコンバートする無線周波数モジュールと、
バンドパスフィルタ、追跡フィルタ、デジタルパルス生成部及び同相／直交出力選択部を備え、前記ダウンコンバートされた信号に基づいて、前記ブレード付きロータの速度を表す出力パルス列信号を生成するように構成された主処理モジュールとを備える、ブレード付きロータを測定する装置。
【請求項１０】
前記バンドパスフィルタが、前記ダウンコンバートされた信号の基本周波数に対応する前記ダウンコンバートされた信号の周波数を通過して他の周波数を拒絶し、バンドパスされた信号を生成する、請求項９に記載のブレード付きロータを測定する装置。
【請求項１１】
前記追跡フィルタが、
制御信号に基づいて前記バンドパスされた信号をローパスフィルタローパスフィルタリングし、ローパスフィルタの出力に基づいて第１の平均エネルギー出力を生成する同調ローパスフィルタ及び平均エネルギー検出部と、
前記バンドパスされた信号に基づいて第２の平均エネルギー出力を判定する第２の平均エネルギー検出部と、
前記第１及び第２の平均エネルギー出力間の差分に基づいて前記制御信号を生成する制御部とをさらに備える、請求項１０に記載のブレード付きロータを測定する装置。
【請求項１２】
前記デジタルパルス生成部が、前記制御信号に基づいて前記バンドパスされた信号をフィルタリングする第２の同調フィルタと、前記第２の同調フィルタによって出力された信号のゼロクロスを検出し、前記ゼロクロスに基づいてパルス列信号を生成するパルス生成部とを備える、請求項１１に記載のブレード付きロータを測定する装置。
【請求項１３】
前記デジタルパルス生成部が、同相及び直交パルス生成部を備え、
前記同相パルス生成部が、前記制御信号に基づいて前記バンドパスされた信号の同相部をフィルタリングする同相同調フィルタをさらに備え、
前記直交パルス生成部が、前記制御信号に基づいて前記バンドパスされた信号の直交部をフィルタリングする直交同調フィルタをさらに備える、請求項１１に記載のブレード付きロータを測定する装置。
【請求項１４】
前記同相パルス生成部が、前記同相同調フィルタによって出力された信号のゼロクロスを検出し、前記同相ゼロクロスに基づいて同相パルス列信号を生成する同相パルス生成部をさらに備え、
前記直交パルス生成部が、前記直交同調フィルタによって出力された信号のゼロクロスを検出し、前記直交ゼロクロスに基づいて直交パルス列信号を生成する直交パルス生成部をさらに備える、請求項１３に記載のブレード付きロータを測定する装置。
【請求項１５】
前記同相／直交出力選択部が、前記ブレード付きロータの速度を表す前記出力パルス列信号として、前記同相パルス列信号及び前記直交パルス列信号のうちの一方を出力する、請求項１４に記載のブレード付きロータを測定する装置。
【請求項１６】
前記同相／直交出力選択部が、
前記ブレード付きロータの速度を表す前記出力パルス列信号として、前記出力用の前記選択された同相パルス列信号及び前記選択された直交パルス列信号のうちの一方を選択し、
所定数の立ち下がり又は立ち上がりエッジが前記パルス列信号の選択された一方については生じないが立ち下がり又は立ち上がりエッジが前記パルス列信号のうちの他方について生じるまで、前記出力用のパルス列信号のうちの一方の選択を維持するように構成されている、請求項１４に記載のブレード付きロータを測定する装置。
【請求項１７】
ブレード付きロータを測定する装置において、
ブレード付きロータに向けて連続的な信号を放射し、前記ブレード付きロータからの反射した信号を受信するセンサと、
前記センサによって放射された信号を生成し、前記反射した信号をダウンコンバートされた信号にダウンコンバートする無線周波数モジュールと、
前記ダウンコンバートされた信号に基づいて、前記ブレード付きロータの速度を表す出力パルス列信号を生成するように構成された主処理モジュールとを備える、ブレード付きロータを測定する装置。
【請求項１８】
前記主処理モジュールが、サブバンドフィルタのバンクと、信号エネルギー検出部と、サブバンドエネルギー検出部のバンクと、サブバンド選択部とを備え、
前記信号エネルギー検出部が、前記ダウンコンバートされた信号の平均エネルギーを検出する、請求項１７に記載のブレード付きロータを測定する装置。
【請求項１９】
前記サブバンドフィルタのバンクが、複数のサブバンドフィルタを備え、
各サブバンドフィルタが、前記ダウンコンバートされた信号に基づいてバンドパスされた信号を提供するバンドパスフィルタと、前記バンドパスされた信号の平均エネルギーを検出する平均エネルギー検出部と、前記バンドパスされた信号のゼロクロスを検出し、前記バンドパスされた信号の前記ゼロクロスに基づいてパルス列信号を生成するゼロクロス検出部とを備える、請求項１８に記載のブレード付きロータを測定する装置。
【請求項２０】
前記サブバンドエネルギー検出部のバンクが、複数のサブバンドエネルギー検出部を備え、
各サブバンドエネルギー検出部が、前記ダウンコンバートされた信号の平均エネルギーとバンドパスされた信号のそれぞれの平均エネルギーを比較してサブバンド選択信号を提供する比較部を備える、請求項１９に記載のブレード付きロータを測定する装置。
【請求項２１】
前記サブバンド選択部が、選択ロジックと、サブバンド選択部とを備え、
前記選択ロジックが、前記サブバンドエネルギー検出部から前記サブバンド選択信号に基づいてサブバンド選択部用の制御信号を生成し、
前記サブバンド選択部が、前記制御信号に基づいて前記出力パルス列信号として、出力について前記サブバンドフィルタから生成された前記パルス列信号のうちの１つのパルス列信号を選択する、請求項２０に記載のブレード付きロータを測定する装置。
【請求項２２】
ブレード付きロータを測定する装置において、
ブレード付きロータに向けて連続的な信号を放射し、前記ブレード付きロータからの反射したマイクロ波信号を受信するセンサと、
前記センサによって放射された信号を生成し、前記反射した信号をダウンコンバートされた信号にダウンコンバートする無線周波数モジュールと、
バンドパスフィルタ、追跡フィルタ及びデジタルパルス生成部を備え、前記ダウンコンバートされた信号に基づいて、前記ブレード付きロータの速度を表す出力パルス列信号を生成するように構成された主処理モジュールとを備える、ブレード付きロータを測定する装置。
【請求項２３】
前記バンドパスフィルタが、前記ダウンコンバートされた信号の基本周波数に対応する前記ダウンコンバートされた信号の周波数を通過して他の周波数を拒絶し、バンドパスされた信号を生成する、請求項２２に記載のブレード付きロータを測定する装置。
【請求項２４】
前記追跡フィルタが、
制御信号に基づいて前記バンドパスされた信号をローパスフィルタローパスフィルタリングし、前記ローパスフィルタの出力に基づいて第１の平均エネルギー出力を生成する同調ローパスフィルタ及び平均エネルギー検出部と、
前記バンドパスされた信号に基づいて第２の平均エネルギー出力を判定する第２の平均エネルギー検出部と、
前記第１及び第２の平均エネルギー出力間の差分に基づいて前記制御信号を生成する制御部とをさらに備える、請求項２２に記載のブレード付きロータを測定する装置。
【請求項２５】
前記デジタルパルス生成部が、前記制御信号に基づいて前記バンドパスされた信号をフィルタリングする第２の同調フィルタと、前記第２の同調フィルタによって出力された前記信号のゼロクロスを検出し、前記ゼロクロスに基づいて前記出力パルス列信号を生成するパルス生成部とを備える、請求項２４に記載のブレード付きロータを測定する装置。